(57)【要約】【課題】床を損傷せずに重量物の固定ができて、吸盤の吸着力を維持することができる。【解決手段】サーバーラックなどのラック（重量物）２０を床面（固定面）２１に固定するために設置されていて、ラック２０に固定された軸部２と、軸部２に取り付けられて床面２１に吸着する吸盤３と、床面２１と吸盤３との間に設けられて軸部２を支持する支持部４とから概略構成される。吸盤３には外部の空気が内部へ流入すること阻止可能な逆止弁５が設けられている。【選択図】図１
2011153652.tif 000002
【特許請求の範囲】
【請求項１】
什器や機器類などの重量物を固定面に固定するための固定装置であって、
前記重量物と連結し前記重量物を支持する支持部と、
前記支持部を覆い前記固定面に吸着する吸盤とを備え、前記吸盤には前記吸盤内部の空気を外部へ排出可能であると共に、前記吸盤外部の空気が内部へ流入すること阻止可能な逆止弁が設けられていることを特徴とする固定装置。
【請求項２】
前記重量物と支持部との間には前記重量物の荷重を支持する軸部が設けられていることを特徴とする請求項１に記載の固定装置。
【請求項３】
請求項１または２に記載の固定装置によって重量物が固定面に固定される固定構造であって、前記固定面には表面に平滑材が設けられていることを特徴とする固定構造。
【発明の詳細な説明】
【技術分野】
【０００１】
本発明は、什器や機器類などの重量物を床などの固定面に固定するための固定装置および固定構造に関する。
【背景技術】
【０００２】
一般に、サーバーラックなどの什器や機器類などを床に固定する場合、アンカーボルトを用いて固定している。
また、アンカーボルトの代わりに吸盤を用いる固定装置も提案されている。
【０００３】
例えば、特許文献１には、対象物への吸着時に負圧空間を形成する吸盤本体と、この空間に連通する排気筒とを備えていて、吸盤本体が吸盤本体の形状を保持する硬質部材と、吸盤本体と吸着対象物との隙間を塞ぐ軟質部材とで構成されていて、吸盤本体の形状変形が少ない真空吸着装置用吸盤が開示されている。
また、特許文献２には、下端部に吸盤が取り付けられていて、吸盤にシリンダを取付けて、吸着盤内面凹部とシリンダ内部空間を弁付きの通気孔により連通し、支柱本体の下端部に、シリンダの内部に装入して風圧などにより支柱本体が浮き上がったときに支柱本体と共にシリンダ内を上方へ摺動することにより吸着盤内面凹部内の空気を通気孔を介してシリンダ内部空間内へ吸入し吸着盤内面凹部内を減圧するピストンを設けたテント用支柱が開示されている。
【先行技術文献】
【特許文献】
【０００４】
【特許文献１】特開昭６２−４１４１７号公報
【特許文献２】実開平４−１１６５５６号公報
【発明の概要】
【発明が解決しようとする課題】
【０００５】
しかしながら、従来の固定装置では以下のような問題があった。
重量物をアンカーボルトで固定面に固定する場合、床にアンカーボルトを挿入するための穴を形成しなければならないので、床が損傷してしまうと共に、アンカーボルトの設置に施工時間や労力がかかるという問題があった。また、アンカーボルトを挿入する穴を形成する際に、震動や騒音が発生している。
また、特許文献１による真空吸着装置用吸盤では、吸盤本体を真空状態にする機構が開示されておらず、吸盤本体を容易に吸着させることができるかは不明である。
また、特許文献２によるテント用支柱は、テントが風に煽られたときに支柱の固定が安定するが、通常時の吸着力が維持されるかは不明である。
【０００６】
本発明は、上述する問題点に鑑みてなされたもので、固定面を損傷せずに容易にかつ確実に重量物を固定面に固定することができる固定装置および固定構造を提供することを目的とする。
【課題を解決するための手段】
【０００７】
上記目的を達成するため、本発明に係る固定装置は、什器や機器類などの重量物を固定面に固定するための固定装置であって、前記重量物と連結し前記重量物を支持する支持部と、前記支持部を覆い前記固定面に吸着する吸盤とを備え、前記吸盤には前記吸盤内部の空気を外部へ排出可能であると共に、前記吸盤外部の空気が内部へ流入すること阻止可能な逆止弁が設けられていることを特徴とする。
また、本発明に係る固定装置では、前記重量物と支持部との間には前記重量物の荷重を支持する軸部が設けられていてもよい。
本発明では、重量物と連結し重量物を支持する支持部と、支持部を覆い固定面に吸着する吸盤とを備え、吸盤には吸盤内部の空気を外部へ排出可能であると共に、吸盤外部の空気が内部へ流入すること阻止可能な逆止弁が設けられていることにより、重量物の自重で逆止弁から吸盤内の空気が排出されて吸盤が固定面に吸着され、支持部が吸盤に覆われた状態で固定面に固定されるので、支持部と連結した重量物を固定面に固定することができる。そして、逆止弁が吸盤内への空気の流入を阻止できるので、重量物の固定面への固定状態を維持することができる。
また、逆止弁に人為的に空気を流入させることによって、容易に吸着を解除することができる。
また、重量物の固定を吸盤によって行うことができるので、固定面を損傷させることがない。
【０００８】
また、本発明に係る固定構造では、上記の固定装置によって重量物が固定面に固定される固定構造であって、前記固定面には表面に平滑材が設けられていることを特徴とする。
本発明では、固定面には表面に平滑材が設けられていることにより、固定面が平滑でない場合でも固定面を平滑にすることができるので、固定面に吸盤を確実に吸着させることができる。
【発明の効果】
【０００９】
本発明の固定装置によれば、重量物の自重によって吸盤が支持部を覆って固定面に吸着され、支持部と連結する重量物を固定面に固定されることにより、重量物の固定面への固定が容易且つ確実にでき、この固定の解除も容易にできると共に、固定面を損傷せずに重量物を固定面に固定することができる。
また、本発明の固定構造によれば、固定面が平滑でない場合でも固定面を平滑にすることができるので、固定面に吸盤を確実に吸着させて、構造物を固定面に固定することができる。
【図面の簡単な説明】
【００１０】
【図１】本発明の実施の形態による固定装置の一例を示す斜視図である。
【図２】（ａ）は図１のＡ−Ａ線断面図、（ｂ）はＢ−Ｂ線断面図である。
【図３】図１に示す固定装置が床面に固定される前の状態を示す図である。
【図４】図１に示す固定装置を用いた固定構造を示す図である。
【発明を実施するための形態】
【００１１】
以下、本発明の本実施の形態による固定装置について、図１乃至図３に基づいて説明する。
図１に示すように、本実施の形態による固定装置１は、サーバーラックなどのラック（重量物）２０を床面（固定面）２１に固定するために設置されていて、ラック２０に固定された軸部２と、軸部２を支持する支持部４と、支持部４を覆い床面２１に吸着する吸盤３とから概略構成される。吸盤３には逆止弁５が設けられている
【００１２】
軸部２はラック２０の底部２０ａに複数設置されて、その軸方向を鉛直方向に合わせた棒状の部材で、例えば鋼材などで形成されている。軸部２の設置箇所や設置個数は任意に設定される。軸部２の先端には支持部４が連結されている。支持部４は、平面視で吸盤３よりも小さい円板状の部材で、その面を水平にして設置される。
【００１３】
図２（ａ）、（ｂ）に示すように、吸盤３は、軸部２の先端側に支持部４を覆うように設置されている。図３に示すように、床面２１に吸着する前の吸盤３は、下向きに開口した椀状に形成されている。吸盤３の内部には吸盤受６が配設されていて、吸盤受６は軸部２と吸盤３の位置を固定している。
【００１４】
図２および図３に示すように、吸盤３には、複数の逆止弁５が設けられている。この逆止弁５は吸盤３内の空気を外部へ排出し、外部から吸盤３内へ自然に空気が流入することを防ぐ構造である。
逆止弁５は、例えば、吸盤３の外面から突出し常時は吸盤３の内外に連通する開口部３ａを塞ぐ弁５ａと、吸盤３から突出していて弁５ａに隣接して弁５ａを挟む位置に設けられた押圧部５ｂとから構成されている。
開口部３ａは吸盤３の内側から外側に向って狭くなる構成で、吸盤３内部が吸盤３外部よりも空気圧が高いと、吸盤３内の空気圧により弁５ａに塞がれた開口部３ａが開く構成である。
押圧部５ｂは、周囲から挟まれると弁５ａを押圧して弾性変形させ、開口部３ａを開くことができる。
【００１５】
次に、本実施の形態による固定装置１を用いたラック２０の床面２１への固定方法について説明する。
まず、固定装置１が取り付けられたラック２０を所定の場所に設置して、図２（ｂ）に示すように吸盤３を床面２１と接触させると共に、ラック２０の自重によって支持部４を下降させて支持部４の下面と床面２１とを面接触させる。
このとき、吸盤３が床面２１に押し付けられることによって、吸盤３内の気圧が高くなり、吸盤３内の空気は逆止弁５から排出される。そして、吸盤３内の空気が排出されて吸盤３が支持部４を覆った状態で床面２１に吸着される。このように、吸盤３が床面２１に吸着されることによってラック２０が床面２１に固定される。
また、支持部４は床面２１と面接触した状態でラック２０を支持しているので、ラック２０はぐらつかず防ぎ安定した状態となる。
【００１６】
固定装置１によってラック２０が床面２１に固定された状態では、ラック２０の荷重は軸部２および支持部４を通じて床面２１に伝達される。また、ラック２０に下向きの外力が作用した場合にも、この外力は同様に床面２１に伝達される。
反対に、ラック２０に上向きの外力が作用した場合には、吸盤３の吸着力がこの外力に抵抗し、ラック２０が浮き上がることを防ぐことができる。また、ラック２０に水平方向の外力が作用した場合には、吸盤３の吸着力および支持部４と床面２１との摩擦力がこの外力に抵抗し、ラック２０が水平方向に変位することを防ぐことができる。
【００１７】
床面２１へ固定されたラック２０の固定を解除する場合には、人為的に押圧部５ｂを挟み逆止弁５を開いて吸盤３内に空気を流入させれば、吸盤３の吸着が解除され、ラック２０の床面２１への固定が解除される。
【００１８】
次に、上述した本実施の形態による固定装置１の効果について図面を用いて説明する。
本実施の形態による固定装置１では、ラック２０を所定の位置に設置するとラック２０の自重によって吸盤３内の空気が逆止弁５から排出され、吸盤３が支持部４を覆った状態で床面２１に吸着されて、支持部４が床面２１へ固定される構成なので、床面２１を損傷しないと共に容易にかつ確実にラック２０を床面２１に固定できる効果を奏する。
また、吸盤３に逆止弁５が設けられていることによって、吸盤３内に自然に空気が流入しないので吸盤３内の負圧状態が保たれて床面２１への固定力を長期に渡って維持することができる。
【００１９】
次に、実施の形態による固定装置１を用いてラック２０を平滑でない床面（固定面）へ固定する固定構造について説明する。
図４に示すように、床面２２が平滑でない場合には床面２２を平滑にするために、床面２２に合成樹脂塗料などの平滑材１２が配設される。そして、この平滑材１２の表面に固定装置１によってラックが固定される。
このように、床面に平滑材１２を配設することにより、床面２２が平滑でなく吸盤３の吸着が悪い場合でも吸盤３を床面２１に吸着させることができ、固定装置１によってラックを床面２２に固定することができる。
【００２０】
以上、本発明による固定装置１および固定構造の実施の形態について説明したが、本発明は上記の実施の形態に限定されるものではなく、その趣旨を逸脱しない範囲で適宜変更可能である。
例えば、上記の実施の形態では、固定装置１は軸部２を備えているが、ラック２０の底部２０ａに直接吸盤３を取り付けて、ラック２０と支持部４が吸盤３および吸盤受６を介して連結している構成としてもよい。
また、上記の本実施の形態では、固定装置１は吸盤３と支持部４との間に吸盤受６を備えているが、吸盤受６を設けず吸盤３と支持部４とを連結する構成としてもよい。
また、上記の実施の形態では、支持部４は円板状の部材であるが、平面視多角形や楕円形などの板状の部材としてもよい。また、支持部４は、板状の部材に変わって、床面２１との接触面が平らに形成されている塊状の部材としてもよい。
また、本実施の形態では、ラック２０に固定装置１を設置しているが、ラック２０に代わって他の什器や機器類などに固定装置１を設置してもよい。
【符号の説明】
【００２１】
１  固定装置
２  軸部
３  吸盤
４  支持部
５  逆止弁
１２  平滑材
２０  ラック（重量物）
２１、２２  床面（固定面）
【図１】
2011153652.tif 000003
【図２】
2011153652.tif 000004
【図３】
2011153652.tif 000005
【図４】
2011153652.tif 000006